(57)【要約】      （修正有）【課題】組立性が良く、好適な操作フィーリングの防水防塵構造のシーソー式スイッチ装置を提供する。【解決手段】インシュレータ９とボデイ４との突当て面の全周に、ゴムシールを圧縮状態で配置し、インシュレータ９には互いに離間して配設された中央端子８及び固定接点７ａ、７ｂを設け、可動接点６ａ、６ｂを設けた導体板６の長手方向の略中間部が前記中央端子により支持され、中央端子を支点として揺動すると共に、前記導体板の長手方向に沿って揺動可能に支持されたホルダ２と、ホルダと一体となって揺動するノブ１を備え、前記ホルダの外周に弾性体であるゴムブーツ１０が嵌合し、ゴムブーツの一方をノブの裏面に圧接させ、他端をボディ球状受面４ｃに圧接させて、ゴムシールとゴムブーツ１０により、接点室内に水滴或いは塵埃が侵入するのを阻止することができるシーソー式スイッチ装置。【選択図】図１
0003192676.tif 000002
【実用新案登録請求の範囲】
【請求項１】
互いに離間して配設された中央端子及び固定接点と、
長手方向の略中間部が前記中央端子により支持されており、該中央端子を支点として揺動すると共に、前記中央端子よりも長手方向の両端又は片端に前記固定接点と接離する可動接点を設けた導体板と、
前記導体板の長手方向に沿って揺動可能に支持されたホルダと、
前記ホルダの内部に収納された圧縮コイルばねと、
前記圧縮コイルばねにより付勢され、前記ホルダの揺動に伴い、前記導体板を押圧しながら移動する駆動体とを備え、
前期ホルダの他端にはノブの突起を嵌合させたシーソースイッチにおいて、
前記ホルダの外周に弾性体のブーツを嵌合させて、
該ブーツの一端をノブの裏面に圧接させ、
該ブーツの他端を半球状として、ボディ球状受面に圧接させた事を特徴とするシーソースイッチ。
【考案の詳細な説明】
【技術分野】
【０００１】  本考案は、電気機器類や電子装置の電源用スイッチなどとして用いられるシーソー式スイッチ装置の防水防塵構造に関する。
【背景技術】
【０００２】  シーソー式スイッチ装置は、操作体の内部に圧縮コイルばねを収納し、その先端に駆動体を設け、操作体はシーソー操作により支軸を中心に揺動し、圧縮コイルばねにより付勢された駆動体を、一端に可動接点を設けたシーソー形の導体板（可動接片）を押圧しながら移動させることにより、シーソー形の導体板が、その中央部を支持している中央端子を支点として揺動（シーソー運動）し、可動接点と対向位置に配置した固定接点と可動接点が接離する。可動接点が固定接点に当接したとき、固定接点を設けた固定端子が中央端子とシーソー形の導体板を通じて導通し、中央端子に接続した外部の電路と固定端子に接続した外部の電路を接続する。【０００３】  上記シーソー式スイッチ装置は、その用途によっては高い防水防塵性能が求められている。本考案は、その防水防塵性能を満足させるための構造に関する。【０００４】  当該考案の出願に関わるシーソー式スイッチ装置の先行例を説明する。
図５、図６において、ボディ回転軸４ａにノブ回転軸孔１ａが嵌合し、ノブ１がその軸を中心に揺動可能に支持される。ノブ円筒部１ｃ内部に圧縮コイルばね３を収納し、その先端に砲弾形状のピース１３を設け、ノブ１のシーソー操作によりボディ回転軸４ａを中心に揺動し、圧縮コイルばね３により付勢されたピース１３を、両端に可動接点を設けたシーソー形の導体板６を押圧しながら移動させることにより、シーソー形の導体板６が、その中央部を支持している中央端子８を支点として揺動（シーソー運動）し、可動接点６ａ、６ｂと対向位置に配置した固定接点７ａ、７ｂが接離する。可動接点６ａまたは６ｂが固定接点７ａまたは７ｂに当接したとき、固定接点を設けた固定端子が中央端子８とシーソー形の導体板６を通じて導通し、中央端子に接続した外部の電路と固定端子に接続した外部の電路を接続する。【０００５】  インシュレータ９とボデイ４との突当て面の全周に、ゴムシール１１を圧縮状態で配置しているので、インシュレータ９とボデイ４との嵌合面から接点室１５内に水滴或いは塵埃が侵入するのを阻止している。【０００６】  ボデイ揺動開口部４ｂには、ノブ円筒部１ｃを揺動可能とするための隙間１６が設けてある。この隙間１６から水滴或いは塵埃が侵入するのを阻止するために、ボディ側パッキング１４ｂの内周とボデイ揺動開口部４ｂの外周、ノブ側パッキング１４ａの内周とノブ円筒部１ｂの外周とを密着させている。【０００７】  ボディ側パッキング１４ｂはボデイ揺動開口部４ｂに固定されるが、ノブ側パッキング１４ａはノブ円筒部１ｃの揺動と共に揺動するので、防水防塵パッキング１４は柔軟に屈曲できる形状となっている。【０００８】  前記ゴムシール１１と防水防塵パッキング１４によって、ボディ４の内部は、外部と遮断されているので接点室１５内に水滴或いは塵埃が侵入するのを阻止している。
【先行技術文献】
【特許文献】
【０００９】
【特許文献１】特開２００５−２２２７６９号公報
【特許文献２】特開２０１１−１１３８１７号公報
【００１０】  特許文献１には、（１６図参照）接点室内への水塵等の浸入を防ぐためにスイッチ釦裏面の突出物と仕切り板とを全面的に覆う防水防塵パッキングを柔軟な材料から形成されたダイヤフラム状態で設けることが提案されている。【００１１】  特許文献２には、（段落番号００１６、および図５参照）  スイッチ釦裏面の突出部の周囲に、仕切り板の開口部との間の隙間を閉鎖すべく防塵板が仕切り板上に摺動自在に配置され、かつ仕切り板に対してばね付勢して、防塵性能を高めることが提案されている。
【考案の概要】
【考案が解決しようとする課題】
【００１２】  図５、図６に示す従来構造および特許文献１で提案されている構造では、ノブ（スイッチ釦）の動きと共に屈曲する防水防塵パッキングに損傷が生じることなく長期間に亘って使用に供するためには、該防水防塵パッキングに或る程度の大きさを与えることが必要である。さもなければ、その材料疲労のためにひび割れや破損等が早期に生じることになる、また防水防塵パッキングの屈曲がノブの操作フィーリングを悪くすることが考えられる。さらに該防水防塵パッキングは組付け性が悪く組付けるのに時間を要するので、価格的にも高い装置になる。【００１３】  特許文献２で提案されている構造は、前述の防水防塵パッキングに比べ小型化できる事が提案されている。しかし、仕切り板とその上を摺動する防塵板との間の防水性能は防水防塵パッキングに比べ劣る欠点があった。【００１４】  本考案によれば、前述の防水防塵パッキングに比べ小型化が可能で、かつ組付け性の良い防水防塵構造のシーソー式スイッチ装置を提供できる。
【課題を解決するための手段】
【００１５】  互いに離間して配置された中央端子及び２個の固定接点と、長手方向の略中間部が前記中央端子により支持されており、該中央端子を支点として揺動すると共に、前記中央端子の長手方向の両側部に前記固定接点と接離する可動接点を設けた導体板と、前記導体板の長手方向に沿って揺動可能に支持されたホルダと、前記ホルダの内部に収納された圧縮コイルばねと、前記ホルダの一端には操作ノブの突起が入り込み、他端には前記圧縮コイルばねにより付勢されて、前記ホルダの揺動に伴い、前記導体板を押圧しながら移動する駆動体を備えたシーソー式スイッチ装置において、前記ホルダの外周部にゴムブーツを貫通させ、ゴムブーツの一方をノブの裏面に圧接させ、他端の半球状面をボディ開口部の球状受面に圧接摺動させることを特徴とするものである。
【考案の効果】
【００１６】  本考案によれば、組立性が良く、小型化可能で、好適な操作フィーリングの防水防塵構造のシーソー式スイッチ装置を提供できる。
【図面の簡単な説明】
【００１７】
【図１】本考案の実施例に係るシーソー式スイッチ装置の縦断側面図
【図２】本考案の実施例に係るシーソー式スイッチ装置の横断側面図
【図３】本考案の他の実施例に係るシーソー式スイッチ装置の縦断側面図
【図４】本考案の他の実施例に係るシーソー式スイッチ装置の横断側面図
【図５】従来構造の実施例に係るシーソー式スイッチ装置の縦断側面図
【図６】従来構造の実施例に係るシーソー式スイッチ装置の横断側面図
【考案を実施するための形態】
【実施例】
【００１８】  以下、本考案の実施形態について、適宜図面を参照しながら詳細に説明する。
図１は、本考案一実施形態によるシーソー式スイッチ装置の縦断側面図、図２は図１の横断側面図である。【００１９】  インシュレータ９は、図示してないがボデイ４の嵌合孔にスナップフィットにより固定される。インシュレータ９とボデイ４との突当て面の全周に、ゴムシール１１を圧縮状態で配置している。インシュレータ９には固定接点７ａ、７ｂと中央端子８が固定されている。導電板６には可動接点６ａ、６ｂが固着されている。この導体板６が中央端子８上に嵌合され、揺動可能に支持される。ノブ１は、ノブ嵌合軸穴１ａがボディ回転軸４ａに揺動可能に嵌合される。ホルダ２の外周に弾性体であるゴムブーツ１０が嵌合し、ゴムブーツ１０の一方をノブ１の裏面に圧接させ、他端をボディ球状受面４ｃに圧接させる。ホルダ２の内部には鋼球５、圧縮コイルばね３が収納され、ノブばね押さえ１ｂがホルダ２内に嵌合して圧縮コイルばね３の一端を押え込む。【００２０】  図１では、圧縮コイルばね３に押圧された鋼球５が導体板６を押圧しているので、中央端子８と固定接点７ａが、シーソー形の導体板６と可動接点６ａを通じて導通している。【００２１】  図１に示す状態でノブ１をＡ方向に操作すると、ゴムブーツ１０がボディ回転軸４ａと同心にあるボディ球状受面４ｃとわずかに摺動しながら、ホルダ２と共に揺動し、鋼球５が導体板６上を摺動し、それに伴い圧縮コイルばね３がさらに圧縮される。鋼球５が中央端子８上を過ぎると導体板６がシーソーして、固定接点７ａと可動接点６ａが開離すると共に、固定接点７ｂと可動接点６ｂが当接する。その後、ノブをＢ方向に操作する事によって、図１に示す状態に戻り、それぞれの接点の開閉を可能にする。【００２２】  本考案によれば、ゴムブーツ１０とゴムシール１１とによって接点室１５内に水滴或いは塵埃が侵入するのを阻止することができ、かつ小型で組付け性が良く、好適な操作フィーリングのシーソー式スイッチ装置を提供できる。【００２３】図３、図４は、他の実施例に係るシーソー式スイッチ装置の縦断側面図と横断側面図であり、ゴムブーツ１０の両端を圧縮コイルばね１２のばね力で、ノブ１の裏面とボディ球状受面に圧接させている実施例である。
【符号の説明】
【００２４】１      ノブ（スイッチ釦）
１ａ    ノブ回転軸孔
１ｂ    ノブばね押さえ
１ｃ    ノブ円筒部
２      ホルダ
３      圧縮コイルばね
４      ボディ
４ａ    ボディ回転軸
４ｂ    ボディ揺動開口部
４ｃ    ボディ球状受面
５      鋼球（駆動体）
６      導体板
６ａ    可動接点
６ｂ    可動接点
７ａ    固定接点
７ｂ    固定接点
８      中央端子
９      インシュレータ
１０    ゴムブーツ
１１    ゴムシール
１２    圧縮コイルばね
１３    ピース（駆動体）
１４    防水防塵パッキング
１４ａ  ノブ側パッキング
１４ｂ  ボディ側パッキング
１５    接点室
１６    隙間
【図１】
0003192676.tif 000003
【図２】
0003192676.tif 000004
【図３】
0003192676.tif 000005
【図４】
0003192676.tif 000006
【図５】
0003192676.tif 000007
【図６】
0003192676.tif 000008